(57)【特許請求の範囲】
【請求項１】
車両のトランクルームに設けられ、複数の電池セルと電解質で設けられたバッテリーパック；
冷却水を循環させて前記車両に設けられたエンジンを冷却する冷却装置；及び、
前記バッテリーパックが設定温度以上上昇すれば、前記冷却装置の冷却水を前記バッテリーパックの内部に注入し、前記複数の電池セルを前記冷却水に含浸させることで前記バッテリーパックを冷却する安全装置を含み、
前記安全装置は、前記冷却装置の冷却水を前記バッテリーパックの内部に注入する注入管と、前記注入管を開閉する開閉バルブと、前記バッテリーパックの温度を検出する温度センサーと、前記温度センサーによって検出された前記バッテリーパックの温度が設定温度以上であれば、前記冷却装置の冷却水が前記バッテリーパックの内部に注入されるように前記開閉バルブを開放させる制御部と、を含み、
前記注入管は、一端が冷却装置に連結され、他端がバッテリーパックに連結され、
前記注入管の他端が連結された前記バッテリーパックには電気伝導度を高める物質が備えられ、前記注入管を通過した冷却水が電気伝導度を高める物質を通過した後でバッテリーパックの内部に注入されるようになっており、
前記電気伝導度を高める物質は、前記注入管の他端全体をカバーできるよう、前記注入管の他端の直径より大きく形成されており、
前記バッテリーパックの内壁には注入管の他端をカバーする、伝導度を高める物質を固定する固定部材が備えられ、前記固定部材は、前記電気伝導度を高める物質の側面を支持する側面部と、前記電気伝導度を高める物質の前面を支持する前面部とで形成される「┐」状を有することを特徴とする車両用バッテリーシステム。
【請求項２】
前記電気伝導度を高める物質は、塩であることを特徴とする請求項１に記載の車両用バッテリーシステム。
【請求項３】
前記電気伝導度を高める物質は、注入管が位置した前記バッテリーパックの内部に微細な孔が形成されている不織布に内蔵された状態で備えられることを特徴とする請求項１に記載の車両用バッテリーシステム。
【請求項４】
前記バッテリーパックには、前記バッテリーパックの内部の空気を外部へ放出するチェックバルブが備えられることを特徴とする請求項１に記載の車両用バッテリーシステム。
【発明の詳細な説明】
【技術分野】
【０００１】
［関連出願の相互参照］
本出願は、２０１６年３月３日付韓国特許出願第１０−２０１６−００２５５８６号に基づいた優先権の利益を主張し、当該韓国特許出願の文献に開示されている全ての内容は本明細書の一部として含まれる。
【０００２】
本発明は、車両用バッテリーシステムに関し、特に車両のエンジンを冷却する冷却水を介してバッテリーパックの発火を防止して安全性を高めた車両用バッテリーシステムに関する。
【背景技術】
【０００３】
通常、二次電池（ｓｅｃｏｎｄａｒｙ  ｂａｔｔｅｒｙ）とは、充電が不可能な一次電池とは異なって、充電及び放電が可能な電池のことであり、かかる二次電池は、フォン、ノートパソコン、カムコーダ及び電気自動車などに広く用いられている。そのうち電気自動車に用いられる二次電池は、二つまたはそれ以上の電池セルを並列または直列に連結した電池パックが用いられている。
【発明の概要】
【発明が解決しようとする課題】
【０００４】
従来の技術に係る車両用バッテリーパックは、車両の衝突事故などのような致命的な外部衝撃によって焼損が発生する場合、火事及び爆発が発生し得る。また、バッテリーパックの回路の問題でショートが発生する場合、火事及び爆発が発生し得る。
【０００５】
本発明は、前記のような問題を解決するために発明されたものであって、本発明の目的は、外部衝撃またはショートによってバッテリーパックに問題が発生する場合、車両のエンジンを冷却する冷却水をバッテリーパックに注入して鎮めることでバッテリーパックの爆発を防止することができ、搭乗客の安全性を高めることができる車両用バッテリーシステムを提供することにある。
【課題を解決するための手段】
【０００６】
前記のような目的を達成するための本発明に係る車両用バッテリーシステムは、車両のトランクルームに設けられ、複数の電池セルと電解質で設けられたバッテリーパック；冷却水を循環させて前記車両に設けられたエンジンを冷却する冷却装置；及び、前記バッテリーパックが設定温度以上上昇すれば、前記冷却装置の冷却水を前記バッテリーパックの内部に注入し、前記複数の電池セルと前記冷却水の含浸を介して前記バッテリーパックを冷却する安全装置を含むことができる。
【０００７】
前記安全装置は、前記冷却装置の冷却水を前記バッテリーパックの内部に注入する注入管と、前記注入管を開閉する開閉バルブと、前記バッテリーパックの温度を検出する温度センサーと、前記温度センサーによって検出された前記バッテリーパックの温度が設定温度以上であれば、前記冷却装置の冷却水が前記バッテリーパックの内部に注入されるように前記開閉バルブを開放させる制御部と、を含むことができる。
【０００８】
前記バッテリーパックの内部には、前記バッテリーパックに注入される冷却水に溶融される電気伝導度を高める物質が含まれてよい。
【０００９】
前記電気伝導度を高める物質は、塩であってよい。
【００１０】
前記電気伝導度を高める物質は、前記注入管が位置した前記バッテリーパックの内部に微細な孔が形成されている不織布に内蔵された状態で備えられてよい。
【００１１】
前記バッテリーパックには、前記バッテリーパックの内部の空気を外部へ放出するチェックバルブが備えられてよい。
【発明の効果】
【００１２】
本発明は、車両に備えられたエンジンを冷却する冷却水を利用してバッテリーパックを冷却することにより、外部または内部の要因によるバッテリーパックの爆発を防止することができ、特に車両の冷却水を利用することから製作費用を大幅に節減することができる。
【００１３】
また、本発明は、バッテリーパックの内部に電気伝導度を高めることができる物質を含むことにより、冷却水とともに電気伝導度を高めることができる物質によってバッテリーパックを速やかに放電させることができ、よって、バッテリーパックによって今後発生し得る事故を予め防止することができる。
【図面の簡単な説明】
【００１４】
【図１】本発明に係る車両用バッテリーパックシステムを示した図である。
【図２】本発明に係る車両用バッテリーパックシステムを示した拡大図である。
【図３】本発明に係る電気伝導度を高める物質が含まれている車両用バッテリーパックシステムを示した図である。
【発明を実施するための形態】
【００１５】
以下、図を参照しつつ、本発明の属する技術分野で通常の知識を有する者が容易に実施することができるよう、本発明の実施形態を詳しく説明する。しかし、本発明は多様な異なる形態に具現されてよく、ここで説明する実施形態に限定されない。そして、図において、本発明を明確に説明するため、説明と係わりのない部分は省略し、明細書全体に亘って類似の部分に対しては類似の図面符号を付けた。
【００１６】
本発明に係る車両用バッテリーシステムは、図１に示す通り、車両１０のトランクルーム１１に設けられて複数の電池セル１１１と電解質１１２で設けられたバッテリーパック１１０、冷却水を循環させて車両１０に設けられたエンジン１２を冷却する冷却装置１２０、及びバッテリーパック１１０が設定温度以上上昇すれば、冷却装置１２０の冷却水をバッテリーパック１１０の内部に注入し、複数の電池セル１１１と冷却水の含浸を介してバッテリーパック１１０を冷却する安全装置１３０を含む。
【００１７】
一方、本発明に係る車両用バッテリーシステムは、バッテリーパック１１０で発生した電気エネルギーを利用してエンジン１２を駆動させるか、または車両の照明装置などの電子機器を作動させる。ここで、エンジン１２の駆動時に高熱が発生するところ、このエンジン１２の高熱は、冷却装置１２０の冷却水がエンジン１２の周囲を循環しながらエンジン１２を冷却する。
【００１８】
ここで、車両１０の衝突事故の際に車両１０の座屈に伴ってバッテリーパック１１０に変形が発生することがあり、このとき、バッテリーパック１１０に含まれている複数の電池セル１１１に繋がれた回路が短絡されるか、またはショートによる発火の発生で車両１０が爆発する事故が発生し得る。
【００１９】
このような問題点を解決するため、本発明に係る車両用バッテリーシステムは、バッテリーパック１１０が設定温度以上上昇すれば、冷却装置１２０の冷却水をバッテリーパック１１０の内部に注入してバッテリーパック１１０のショート及び発火を抑える安全装置１３０を含み、この安全装置１３０を介して車両１０の爆発事故を予め防止する。
【００２０】
つまり、本発明に係る車両用バッテリーシステムに含まれている安全装置１３０は、冷却装置１２０とバッテリーパック１１０を連結して冷却装置１２０の冷却水をバッテリーパック１１０の内部に注入する注入管１３１と、注入管１３１を開閉する開閉バルブ１３２と、バッテリーパック１１０の温度を検出する温度センサー１３３と、温度センサー１３３によって検出されたバッテリーパック１１０の温度が設定温度以上であれば、開閉バルブ１３２を開放させて冷却装置１２０の冷却水をバッテリーパック１１０の内部に注入させる制御部１３４とを含む。ここで、前記設定温度は５０℃〜１００℃であってよい。
【００２１】
一方、安全装置１３０は、バッテリーパック１１０の内部の空気を外部へ放出するとともに、外部の空気がバッテリーパック１１０の内部に流入されないように遮断するチェックバルブ１５０を含む。
【００２２】
つまり、チェックバルブ１５０は、バッテリーパック１１０の内部に冷却水が注入されると、バッテリーパックの内部の空気がチェックバルブ１５０を介して外部へ排出され、よって、バッテリーパック１１０の内部に冷却水をより速やかに注入することができる。
【００２３】
このような本発明に係る車両用バッテリーシステムに含まれている安全装置１３０は、車両の衝突によってバッテリーパック１１０の温度が上昇すれば、温度センサー１３３がこれを検出して制御部１３４へ伝送し、制御部１３４は、温度センサー１３３から検出されたバッテリーパック１１０の温度と設定された温度とを比べる。このとき、バッテリーパック１１０の温度が設定された温度以上であれば、制御部１３４はバッテリーパック１１０に問題が発生したものと判断して開閉バルブ１３２を開放し、よって、冷却装置１２０の冷却水が注入管１３１を介してバッテリーパック１１０の内部に注入され、バッテリーパック１１０に注入された冷却水は、電解質１１２と混合されるとともに複数の電池セル１１１に含浸されるに伴って冷却及び発火を抑える。特に、バッテリーパック１１０の内部の回路まで冷却水に浸漬されることによってショートによる発火を防止する。
【００２４】
つまり、冷却水がバッテリーパック１１０に注入されながらバッテリーパック１１０の温度を設定温度以下に冷却させるようになり、よって、バッテリーパック及び車両の爆発を防止することができる。
【００２５】
ここで、バッテリーパック１１０の内部の空気はチェックバルブ１５０へ排出されることによって冷却水を一層速やかに注入することができる。
【００２６】
一方、衝突事故が発生した車両を長時間捨ておく場合、バッテリーパック１１０の内部に注入された冷却水は、バッテリーパック１１０の外部に引き出されながら除去される。このとき、バッテリーパック１１０の内部に注入された冷却水の除去に伴って、バッテリーパック１１０の電池セルに残っているエネルギーによりショートが再度発生し得る。
【００２７】
これを防止するため、本発明に係る車両用バッテリーシステムは、電池セルを冷却するとともに、電池セルに残っているエネルギーを速やかに消費させ、今後発生し得る事故を予め防止することができる。
【００２８】
つまり、本発明に係る車両用バッテリーシステムは、バッテリーパック１１０の内部に注入される冷却水に溶融されるとともに電解質１１２の性質を最大化するための電気伝導度を高める物質１４０が含まれ、電気伝導度を高める物質１４０は、注入管１３１が位置したバッテリーパック１１０に備えられ、注入管１３１を介してバッテリーパック１１０に注入される冷却水に漸次溶融され、冷却水とともに電解質と混合されながら電解質１１２の性質を最大化させ、よって、電池セル１１１のエネルギーを速やかに消費させて放電させる。ここで電気伝導度を高める物質１４０は塩であってよい。
【００２９】
一方、電気伝導度を高める物質１４０は、微細な孔が形成されている不織布１４１に内蔵された状態でバッテリーパック１１０に備えられ、よって、電気伝導度を高める物質１４０の保管性を高めることができる。
【００３０】
一方、バッテリーパック１１０には、内部に発生したガスを外部へ放出するチェックバルブ１５０が備えられ、チェックバルブ１５０は、バッテリーパック１１０の内部に発生したガスを外部へ放出させて爆発事故を予め防止し、特に外部の空気及び異物は流入されないので、バッテリーパック１１０の内部の汚染を防止することができる。
【００３１】
したがって、本発明に係る車両用バッテリーシステムは、車両のエンジン１２を冷却する冷却装置１２０の冷却水をバッテリーパック１１０の内部に直接供給してバッテリーパック１１０を冷却することにより、バッテリーパック１１０による事故を予め防止することができる。
【００３２】
本発明の範囲は、前記詳細な説明よりは後述する特許請求の範囲によって示され、特許請求の範囲の意味及び範囲、そしてその均等概念から導き出される多様な実施形態が可能である。
【符号の説明】
【００３３】
１０  車両
１１  トランクルーム
１２  エンジン
１１０  バッテリーパック
１１１  電池セル
１１２  電解質
１２０  冷却装置
１３０  安全装置
１３１  注入管
１３２  開閉バルブ
１３３  温度センサー
１３４  制御部
１４０  物質
１４１  不織布
１５０  チェックバルブ
【図１】
0006621908.tif 000002
【図２】
0006621908.tif 000003
【図３】
0006621908.tif 000004